(57)【要約】【課題】  ドアのユーザへの接触を防止する。【解決手段】  被認証情報の認証処理をするカードリーダシステム２０が設けられた空間と、ドア５０を介して対向する空間側のドア５０近傍に存在する人体を感知する人体感知センサ３２を備え、カードリーダシステム２０が、人体感知センサ３２によって人体が感知されたことに応じて、ドア５０が開かれる旨を報知することで実現する。【選択図】  図１
2006265924.tif 000002
【特許請求の範囲】
【請求項１】
ドア近傍に設けられ、被認証情報の認証処理をする認証処理装置と、
上記認証処理装置により上記被認証情報が認証されたことに応じて、施錠されたドアの鍵を解錠する解錠手段と、
上記認証処理装置が設けられた空間と、上記ドアを介して対向する空間側のドア近傍に存在する人体を感知する人体感知センサとを備え、
上記認証処理装置は、上記人体感知センサによって人体が感知されたことに応じて、上記ドアが開かれる旨を報知する報知手段を有すること
を特徴とする入退室管理システム。
【請求項２】
上記認証処理装置は、上記被認証情報を用いた認証処理を実行している際に、上記人体感知センサによって人体が感知されたことに応じて上記認証処理を中断するよう制御する第１の制御手段を有すること
を特徴とする請求項１記載の入退室管理システム。
【請求項３】
上記認証処理装置は、上記報知手段によって、上記ドアが開かれる旨が報知されたことに応じて、上記認証処理装置が設けられた空間と、上記ドアを介して対向する空間側からの上記ドアの解錠処理に、所定の時間だけ制限を与えるよう制御する第２の制御手段を有すること
を特徴とする請求項１記載の入退室管理システム。
【発明の詳細な説明】
【技術分野】
【０００１】
本発明は、被認証情報の認証結果に応じて、所定の空間への入室、所定の空間からの退室を制限することで、入退室を管理する入退室管理システムに関する。
【背景技術】
【０００２】
非接触ＩＣ（Integrated Circuit）カードといった非接触情報媒体を用いた非接触ＩＤシステムであるＲＦＩＤ（Radio Frequency IDentification）システムが考案、実施されている。ＲＦＩＤシステムは、非接触情報媒体に内蔵されているＩＣチップと、カードリーダとの間で情報通信がなされるものであり、例えば、駅の自動改札や、図書館における書籍の貸し出しなどに利用されており、今後も様々な分野で個人情報のやり取りに用いられることが予想される。
【０００３】
なお、非接触ＩＣカードとは、いわゆるクレジットカードなどのようにカード形状をした非接触情報媒体の総称であると共に、カード形状以外の非接触情報媒体、例えば、クレジットカードよりも小さなラベルサイズ、切手サイズやそれ以下のサイズのもの、また、形状もカード形状だけではなく、丸型や、星形など様々な形状をした非接触情報媒体も含むものとする。
【０００４】
例えば、電磁誘導方式によるＲＦＩＤシステムにおいて、非接触情報媒体は、カードリーダから送信された電波を受信し、受信した電波から電磁誘導によって動作電力を得ると共に、この電波を利用してカードリーダとの間でデータ通信を行う。非接触情報媒体と、カードリーダとは、この電波を送受信するためのアンテナコイルをそれぞれ内蔵している。このような、電磁誘導方式のカードリーダと、非接触情報媒体との適切な通信距離は、概ね数ｃｍ〜数十ｃｍとなる。
【０００５】
ところで、機密情報を扱うことの多い企業や、企業内の特定の部署などでは、機密情報を扱う従事者の入室を管理する入退室管理システムを適用することで、機密情報の漏洩を事前に防止するようにしている。
【０００６】
一般に入退室管理システムは、ユーザに与えられた非接触ＩＣカードに組み込まれたユーザＩＤ（IDentification）や、生体情報（指紋、虹彩、声紋など）といった、ユーザを一意に特定する情報を用いて入室管理用のホストコンピュータにより個人認証を行い、登録された正当なユーザであることが認証された場合に、施錠された入室用のドアの電気錠を解錠することで、低度セキュリティレベル領域から機密情報を扱う高度セキュリティレベル領域内への入室を許可する、というような管理を行っている。
【０００７】
高度セキュリティレベル領域から低度セキュリティレベル領域へ退室する場合には、施錠されているドアの電気錠をユーザが手動で解錠するか、システムによっては、再び認証要求がなされ認証処理をすることでドアの電気錠が解錠されることになる。
【特許文献１】特開平１１−６６２４９号公報
【発明の開示】
【発明が解決しようとする課題】
【０００８】
このような入退室管理システムでは、所定の空間からの入室、又は所定の空間からの退室のために認証処理を実行しようとする場合、認証処理を実行する認証処理装置に対して、ＩＣカード内のユーザＩＤを読み込ませたり、あるいは生体情報を読み込ませたりする必要がある。
【０００９】
入退室管理システムによる入退室では、このような認証処理に伴った所定の作業が要求されるため、入退室を希望するユーザは、認証処理装置が設置されているドア近傍に、所定の時間留まらねばならない。
【００１０】
このように、認証処理装置が設置されたドア近傍に、ユーザが留まっている場合に、ドアを介して対向する空間側から、ユーザがドアを開けると、認証処理に伴う所定の作業をするために留まっているユーザに対してドアを接触させてしまう虞があるといった問題がある。
【００１１】
また、入退室管理システムで用いられるドアは、高度セキュリティレベル領域のセキュリティを高めるために、外から内部が伺えないように極力、ガラス窓を排除してあったり、内部から外部への光を通さないような材料のガラスを用いてあったり、さらには、遮音性を高めるために厚みをもたせたりしているため、ドア近傍に立っている人の気配を感じることがほとんどできず、ドアとの接触を回避することは非常に困難である。
【００１２】
また、このようにドア近傍にユーザが存在していることを知ることができないことから、ドアを介して対向する空間側からドアが開かれるのにもかかわらず、認証処理装置による認証処理をわざわざ実行してしまうといった、無駄な行動を頻繁に行ってしまうといった問題もある。
【００１３】
そこで、本発明は、上述したような問題を解決するために案出されたものであり、認証処理により、所定の空間への入退室を管理する入退室管理システムにおいて、ドアとの接触を防止すると共に、無駄な認証処理作業を削減することができる入退室管理システムを提供することを目的とする。
【課題を解決するための手段】
【００１４】
本発明の入退室管理システムは、ドア近傍に設けられ、被認証情報の認証処理をする認証処理装置と、上記認証処理装置により上記被認証情報が認証されたことに応じて、施錠されたドアの鍵を解錠する解錠手段と、上記認証処理装置が設けられた空間と、上記ドアを介して対向する空間側のドア近傍に存在する人体を感知する人体感知センサとを備え、上記認証処理装置が、上記人体感知センサによって人体が感知されたことに応じて、上記ドアが開かれる旨を報知する報知手段を有することで、上述の課題を解決する。
【発明の効果】
【００１５】
本発明の入退室管理システムは、認証処理装置が設けられた空間とドアを介して対向する空間側のドア近傍にいる人体を人体感知センサによって感知した場合に、ドアが開かれる旨を認証処理装置が有する報知手段で報知することで、ドアが開かれた際のユーザへの接触を防止することを可能とする。
【発明を実施するための最良の形態】
【００１６】
以下、本発明の実施の形態について図面を参照して説明する。
【００１７】
図１を用いて、本発明の実施の形態として示す入退室管理システムの構成について説明をする。本発明の実施の形態として示す入退室管理システムは、説明のため、セキュリティレベルの低い領域（低度セキュリティレベル領域）から、機密情報などを扱うセキュリティレベルの高い領域（高度セキュリティレベル領域）への入室を制限し、退室時には、高度セキュリティレベル領域側から手動で解錠操作をするシステムとする。
【００１８】
この入退室管理システムは、低度セキュリティレベル領域から高度セキュリティレベル領域へと入室を希望するユーザ全てに対して、認証処理を行い、あらかじめ登録された正当なユーザのみを認証して高度セキュリティレベル領域への人室を許可する。
【００１９】
図１に示すように入退室管理システムは、ユーザが所持する非接触ＩＣカード１０と、低度セキュリティレベル領域に設けられ非接触ＩＣカード１０と無線通信をするカードリーダシステム２０からなる通信システムと、高度セキュリティレベル領域に設けらた人体感知センサ３２と、低度セキュリティレベル領域と、高度セキュリティレベル領域とを隔てるドアを電気的な作用により施錠、解錠することができる電気錠３１とを備えている。なお、電気錠３１は、通常、ドアを施錠している。
【００２０】
図２に、図１に示す入退室管理システムを、ドア５０で隔てられた高度セキュリティベル領域と、低度セキュリティレベル領域とに適用した例を示す。図２に示すように、高度セキュリティレベル領域側のドア５０近傍には、人体感知センサ３２が設けられ、低度セキュリティレベル領域側のドア５０近傍には、カードリーダシステム２０が設けられている。
【００２１】
図２において、ドア５０が、矢印Ｘ方向へと開かれた場合、低度セキュリティレベル領域側のドア５０近傍、つまりカードリーダシステム２０の前いるユーザに接触してしまう可能性がある。
【００２２】
図１に示すように、カードリーダシステム２０は、ＩＤ（IDentification）読み取り部２１と、音声出力部２２と、表示部２３と、制御部２４とを備えている。
【００２３】
ＩＤ読み取り部２１は、非接触ＩＣカード１０と無線通信を行い、非接触ＩＣカード１０の図示しないメモリ内に格納された当該非接触ＩＣカード１０を一意に特定する被認証情報であるＩＤ情報を読み取る。ＩＤ読み取り部２１は、読み取ったＩＤ情報を制御部２４に出力する。なお、ＩＤ読み取り部２１と、非接触ＩＣカード１０との無線通信については、後で詳細に説明をする。
【００２４】
音声出力部２２は、制御部２４の制御に応じて、音声を出力する、例えば、スピーカなどである。
【００２５】
表示部２３は、制御部２４の制御に応じて、画像情報や文字情報を出力する、例えば、液晶ディスプレイなどである。
【００２６】
制御部２４は、カードリーダシステム２０を統括的に制御すると共に、ＩＤ読み取り部２１で読み取られた被認証情報であるＩＤ情報の認証処理を実行する。
【００２７】
入退室管理システムでは、認証処理をするにあたり、ユーザが所有する非接触ＩＣカード１０の図示しないメモリに格納されているＩＤ情報をあらかじめ登録しておく。制御部２４は、認証処理をする際に、ＩＤ読み取り部２１から読み取られた被認証情報であるＩＤ情報と、あらかじめ登録されたＩＤ情報とを比較することで認証処理を行う。
【００２８】
制御部２４は、ＩＤ読み取り部２１から読み取られたＩＤ情報を、あらかじめ登録された正当なＩＤ情報であると認証した場合に、施錠された電気錠３１を所定の時間だけ解錠するように制御する。
【００２９】
一方、制御部２４は、ＩＤ読み取り部２１から読み取られたＩＤ情報を、あらかじめ登録された正当なＩＤ情報であると認証できなかった場合には、施錠された電気錠３１をそのままにし、例えば、音声出力部２２を制御して、認証処理結果がエラーであることをユーザに報知する。
【００３０】
また、制御部２４には、高度セキュリティレベル領域側のドア５０近傍に設けられた人体感知センサ３２からの検出信号が送信されるようになっており、制御部２４は、人体感知センサ３２からの検出信号を受け取ったことに応じて、例えば、合成音声や、サンプリングした音声にて音声出力部２２を介して、高度セキュリティレベル領域から退出する人がいる旨を報知する。
【００３１】
制御部２４は、表示部２３を介して文字情報などを表示させて、高度セキュリティレベル領域から退出する人がいる旨を報知するようにしてもよい。
【００３２】
高度セキュリティレベル領域からの退出を報知する手法は、上述したような音声出力部２２、表示部２３を介した手法に限定されるものではなく、高度セキュリティレベル領域から退出する人がいることを、低度セキュリティレベル領域側のドア５０近傍にいるユーザに通知できればよいため、例えば、図示しないランプを点滅させるなど、どのような手法であってもよい。
【００３３】
なお、人体感知センサ３２は、高度セキュリティレベル領域のドア５０近傍に設置され、例えば、人体から発せられる赤外線を検出することとで人体を感知するセンサであったり、人体の動きを検出することで人体を感知するセンサなどであり、ドア５０近傍に存在する人体を検出することができればどのような検出方式であってもかまわない。
【００３４】
さらに、制御部２４は、人体感知センサ３２からの検出信号を受け取った際に、非接触ＩＣカード１０を用いた認証処理を実行している場合には、認証処理を途中で中断する。
【００３５】
これは、ドア５０が高度セキュリティレベル領域側から開き、高度セキュリティレベル領域へ入ることができるのに、わざわざ、認証処理を実行することを回避するための措置である。
【００３６】
また、制御部２４は、ドア５０が開くことを報知した場合には、高度セキュリティレベル領域側からの電気錠３１の操作を所定の時間だけできないように制限する。
【００３７】
これは、ドア５０が開くことを報知してからユーザがカードリーダシステム２０が設置されたドア５０近傍から離れる時間を与えるための処理である。所定の時間だけ、高度セキュリティレベル領域側から電気錠３１を操作、つまり、施錠されている電気錠３１を解錠することができないように制限することで、制限をかけた時間内にユーザがドア５０近傍から離れることで、ドア５０が開くことによるドア５０との接触を回避する確率を高めることができる。
【００３８】
続いて、非接触ＩＣカード１０と、ＩＤ読み取り部２１との無線通信について説明をする。非接触ＩＣカード１０と、ＩＤ読み取り部２１とは、例えば、１３．５６ＭＨｚ以下の周波数帯域を利用する電磁誘導方式（電磁結合方式）によるＲＦＩＤ（Radio Frequency IDentification）システムであり、非接触情報媒体である非接触ＩＣカード１０が、ＩＤ読み取り部２１から送信された電波を受信して、電磁誘導によって動作電力を得ると共に、この電波を利用してＩＤ読み取り部２１との間でデータ通信を行う。
【００３９】
また、通信システムは、上述した電磁誘導方式に限定されるものではなく、ＵＨＦ帯以上の周波数帯域を利用して電力を確保する電波方式（マイクロ波方式）によるＲＦＩＤシステムであってもよい。なお、説明のため、以下においては、１３．５６ＭＨｚの周波数を利用して電力を確保する電磁誘導方式を適用して説明をする。
【００４０】
ＩＤ読み取り部２１は、インダクタである図示しないアンテナコイルを備えており、周波数ｆｃ（例えば、１３．５６ＭＨｚ付近）をキャリア周波数とする搬送波を変調した電波を利用して非接触ＩＣカード１０と無線通信をする。なお、以下の説明において、キャリア周波数をキャリア周波数ｆｃとするが、キャリア周波数ｆｃは、１３．５６ＭＨｚに限定されるものではない。
【００４１】
データ送信時において、ＩＤ読み取り部２１は、キャリア周波数ｆｃの搬送波を、送信するデータによって変調して伝送信号を生成する。データの変調方式としては、ＡＳＫ（Amplitude Shift Keying）、ＰＷＭ（Pulse Width Modulation）、ＰＳＫ（Phase Shift Keying）などが使用可能である。
【００４２】
変調され、生成された伝送信号は、図示しないアンテナコイルに供給され、磁界を発生させる。アンテナコイルで発生する磁界は、伝送信号に基づいて変化することになり、キャリア周波数ｆｃの搬送波に乗ったデータが、磁束の変化として伝達される。
【００４３】
また、データ受信時において、ＩＤ読み取り部２１は、非接触ＩＣカード１０から送信され、アンテナコイルで磁束の変化として受信されるデータを復調する。非接触ＩＣカード１０からデータが送信されると、アンテナコイルには、磁束の変化によって誘導電流が発生する。
【００４４】
アンテナコイルで発生する誘導電流は、磁束に基づいて変化することになり、キャリア周波数ｆｃの搬送波に乗ったデータが、誘導電流の変化として伝達される。
【００４５】
ＩＤ読み取り部２１は、この誘導電流を復調することで、非接触ＩＣカード１０から送信されたデータを取得する。
【００４６】
非接触ＩＣカード１０は、インダクタである図示しないアンテナコイルによって受信された電波の磁束の変化を妨げる向きに誘導起電力を発生することになり、この誘導起電力によって周波数ｆｃ＝１３．５６ＭＨｚ付近で同調するようになる。
【００４７】
動作電力が供給された非接触ＩＣカード１０は、ＩＤ読み取り部２１から送信されたデータの受信及びＩＤ読み取り部２１へデータを送信する。
【００４８】
データ受信時において、非接触ＩＣカード１０は、ＩＤ読み取り部２１から送信され、アンテナコイルで磁束の変化として受信される電波を復調し、データを取得する。
【００４９】
データ送信時において、非接触ＩＣカード１０は、キャリア周波数ｆｃの搬送波を送信するデータによって変調して伝送信号を生成する。非接触ＩＣカード１０は、送信するデータに応じて、アンテナコイルの負荷を変えて搬送波を変調する負荷変調を行う。
【００５０】
変調され、生成された伝送信号は、アンテナコイルに供給され、磁界を発生させる。アンテナコイルで発生する磁界は、伝送信号に基づいて変化することになり、キャリア周波数ｆｃの搬送波に乗ったデータが、磁束の変化として伝達される。
【００５１】
非接触ＩＣカード１０と、ＩＤ読み取り部２１とが、このような無線通信することで、非接触ＩＣカード１０からＩＤ読み取り部２１にＩＤ情報が読み取られ、制御部２４による認証処理が実行される。
【００５２】
続いて、図３に示すフローチャートを用いて、図１、図２に示した入退室管理システムにおける、人体感知センサ３２による人体感知に基づいた処理動作について説明をする。
【００５３】
ステップＳ１において、制御部２４は、高度セキュリティレベル領域のドア５０近傍に設置された人体感知センサ３２から人体を感知した旨を伝える検出信号が出力されたかどうかを判定する。
【００５４】
制御部２４は、人体感知センサ３２から検出信号を受け取った場合には、工程をステップＳ２へと進め、検出信号を受け取っていない場合には、ステップＳ１の工程を継続させ人体感知センサ３２の反応を待つ待機状態となる。
【００５５】
ステップＳ２において、制御部２４は、人体感知センサ３２からの検出信号を受け取ったことに応じて、カードリーダシステム２０の音声出力部２２、表示部２３などを介して、低度セキュリティレベル領域にいるユーザに対して、高度セキュリティレベル領域から退出する人がいる旨を報知する。
【００５６】
ステップＳ３において、制御部２４は、高度セキュリティレベル領域から退出する人がいる旨を報知した後、現在、認証処理が実行されているかどうかを判定する。制御部２４は、現在、認証処理を実行中である場合には、工程をステップＳ４へと進め、現在、認証処理を実行していない場合には、工程をステップＳ５へと進める。
【００５７】
ステップＳ４において、制御部２４は、現在実行されている認証処理を中断させる。
【００５８】
ステップＳ５において、制御部２４は、ドア５０を施錠している電気錠３１を、高度セキュリティレベル領域側から操作することができないように制限をかける。例えば、制御部２４は、電気錠３１を完全にロックすることで、高度セキュリティレベル領域側から手動で解錠する操作を制限する。このとき、なんらかの報知手段により、高度セキュリティレベル領域側にいるユーザに対して、例えば、現在、電気錠３１はロックされており、しばらくの間待機することを促すようなメッセージを出力するようにしてもよい。
【００５９】
ステップＳ６において、制御部２４は、電気錠３１の操作に制限をかけたと同時に計時される図示しないタイマーを参照し、所定の時間経過したかどうかを判定する。制御部２４は、電気錠３１の操作に制限をかけてから所定の時間経過した場合には、工程をステップＳ７へと進め、まだ、所定の時間経過していない場合には、工程をステップＳ５へと戻し、電気錠３１の操作に制限をかけた状態を継続させる。
【００６０】
ステップＳ７において、制御部２４は、所定の時間、電気錠３１に操作制限をかけたことに応じて、この操作制限を解除し、高度セキュリティレベル領域側のドア５０から、電気錠３１を操作可能とする。
【００６１】
このように入退室管理システムは、人体感知センサ３２による人体の感知結果に応じて、低度セキュリティレベル領域から高度セキュリティレベル領域へと入室しようとしているユーザに対して、ドア５０が開かれ、高度セキュリティレベル領域から退出する人がいる旨を報知することで、ドア５０が開くことを低度セキュリティレベル領域にいるユーザに事前に通知することができ、ドア５０を開いた際の、低度セキュリティレベル領域にいるユーザへの接触を防止することができる。
【００６２】
このとき、カードリーダシステム２０の制御部２４は、認証処理が実行されている場合に、認証処理を中断することで、ドア５０が開かれるのにも関わらず無駄に認証処理が実行されるのを回避することができる。
【００６３】
また、ドア５０が開くことを報知した場合に、ドア５０を施錠している電気錠３１の、高度セキュリティレベル領域側からの操作を所定の時間だけ制限することで、ドア５０が開くことを報知してから、実際にドア５０が開くまでの時間を確実に確保することができるので、低度セキュリティレベル領域にいるユーザに待避時間を与えることができる。これにより、低度セキュリティレベル領域にいるユーザが、ドア５０の接触を回避する確率を大幅に高めることができる。
【００６４】
なお、本発明の実施の形態において、低度セキュリティレベル領域から高度セキュリティレベル領域へと入室する際に、ユーザは、自身が所有する非接触ＩＣカード１０に格納されたＩＤ情報を被認証情報として用い、カードリーダシステム２０にて認証処理を行っているが、本発明はこれに限定されるものではなく、入退室管理システムにおいてユーザが一意に特定されればよいので、例えば、被認証情報として指紋情報、虹彩情報といった生体情報を用い、生体認証処理をすることで、入退室管理システムにおける認証処理を実行するようにしてもよい。
【００６５】
なお、本発明の実施の形態では、入室時にのみ認証処理が要求される入退室管理システムについて説明をしたが、本発明はこれに限定されるものではなく、例えば、高度セキュリティレベル領域からの退室時にも認証処理が要求される入退室管理システムでも適用することができる。
【００６６】
この場合、高度セキュリティレベル領域側にも、認証処理装置であるカードリーダシステム２０が備えられ、さらに低度セキュリティレベル領域側にも、人体感知センサ３２が備えられる。そして、人体感知センサ３２が人体を感知すると、音声出力部２２などからドアが開かれる旨が報知されることになる。また、図３に示すフローチャートを用いた処理動作も全て同様に適用することができる。
【００６７】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００６８】
【図１】本発明の実施の形態として示す入退室管理システムの構成について説明するための図である。
【図２】上記入退室管理システムを、高度セキュリティレベル領域と、低度セキュリティレベル領域とがドアで隔てられた環境に実際に適用した際の様子を模式的に示した図である。
【図３】上記入退室管理システムによる処理動作について説明するためのフローチャートである。
【符号の説明】
【００６９】
１０  非接触ＩＣ（Integrated Circuit）カード
２０  カードリーダシステム
２１  ＩＤ（IDentification）読み取り部
２２  音声出力部
２３  表示部
２４  制御部
３１  電気錠
３２  人体感知センサ
【図１】
2006265924.tif 000003
【図２】
2006265924.tif 000004
【図３】
2006265924.tif 000005